(57)【要約】【課題】人がいる位置に対応する照明器具を確実に点灯させておくことが可能な照明システムを提供する。【解決手段】コンピュータ12からネットワークＮを介して照明主操作盤15に送信したコンピュータ12のＩＤ番号に対応する位置近傍の照明器具13を、照明主操作盤15が制御する。コンピュータ12を使用している人がいる場合などには、使用しているコンピュータ12の近傍を照明する照明器具13を確実に点灯させておくことができる。【選択図】図１
2009021170.tif 000002
【特許請求の範囲】
【請求項１】
調光可能な照明器具と；
固有のアドレスを有し、ネットワークに接続された端末と；
前記ネットワークに接続されるとともに、伝送ラインを介して前記照明器具と接続され、前記固有のアドレスと前記照明器具との対応関係が記憶されるとともに、前記端末から前記ネットワークを介して送信された前記固有のアドレスに対応する前記照明器具を制御する主操作盤と；
を具備していることを特徴とした照明システム。
【請求項２】
固有のアドレスを有し、調光可能であるとともに、前記固有のアドレスを無線媒体により自己の照明領域に発信する照明器具と；
ネットワークに接続され、前記照明器具から発信された前記固有のアドレスを受信可能であるとともに、受信した前記固有のアドレスをネットワークに送信可能な端末と；
前記ネットワークに接続されるとともに、伝送ラインを介して前記照明器具と接続され、前記固有のアドレスと前記照明器具との対応関係が記憶されるとともに、前記端末から前記ネットワークを介して送信された前記固有のアドレスに対応する前記照明器具を制御する主操作盤と；
を具備していることを特徴とした照明システム。
【請求項３】
照明器具は、固有のアドレスを可視光により発信する
ことを特徴とした請求項２記載の照明システム。
【請求項４】
固有のアドレスを有し、人体を検知した際に主操作盤に固有のアドレスを送信する人感センサを具備し、
主操作盤は、前記人感センサの固有のアドレスと照明器具との対応関係が記憶されるとともに、前記人感センサから送信された前記固有のアドレスに対応する照明器具を少なくとも点灯状態とする
ことを特徴とした請求項１ないし３いずれか記載の照明システム。
【発明の詳細な説明】
【技術分野】
【０００１】
本発明は、調光可能な照明器具を有する照明システムに関する。
【背景技術】
【０００２】
従来、複数の照明器具を備えた照明システムとして、焦電型の人感センサにより人体を検知することで、その検知に対応して照明主操作盤が照明器具の点灯／消灯を制御するものがある。このような照明システムでは、照明主操作盤が、人感センサにより人体を検知した位置に対応する照明器具のみを点灯させ、人体を検知しない位置に対応する照明器具を消灯させるように制御する（例えば、特許文献１参照。）。
【特許文献１】特開２００５−２８５５４２号公報（第９−１１頁、図１）
【発明の開示】
【発明が解決しようとする課題】
【０００３】
しかしながら、上述の照明システムの焦電型の人感センサは、人体に大きな動きがないと人体を検知することができないという問題がある。すなわち、人が所定の位置で例えば１０分〜２０分程度、継続的に情報端末を操作している場合などには、焦電型の人感センサが人体の動きを検知できないことから、人がいるにも拘らず、この人がいる位置に対応する照明器具を照明主操作盤が消灯させてしまうおそれがある。
【０００４】
本発明は、このような点に鑑みなされたもので、人がいる位置に対応する照明器具を確実に点灯させておくことが可能な照明システムを提供することを目的とする。
【課題を解決するための手段】
【０００５】
請求項１記載の照明システムは、調光可能な照明器具と；固有のアドレスを有し、ネットワークに接続された端末と；前記ネットワークに接続されるとともに、伝送ラインを介して前記照明器具と接続され、前記固有のアドレスと前記照明器具との対応関係が記憶されるとともに、前記端末から前記ネットワークを介して送信された前記固有のアドレスに対応する前記照明器具を制御する主操作盤と；を具備しているものである。
【０００６】
照明器具は、例えば、蛍光ランプ、ＬＥＤ、有機ＥＬ、白熱電球、電球形蛍光ランプあるいはＨＩＤランプなどが用いられる。
【０００７】
ネットワークは、例えば有線ＬＡＮ(Local Area Network)あるいは無線ＬＡＮなどの複数の端末を接続可能なものを用いてもよい。その他、汎用ネットワークを使用することができる。
【０００８】
端末は、例えばパーソナルコンピュータ(ＰＣ)など、通信ソフトをインストールできるものが好ましいが、ＰＣに限定されるものではない。
【０００９】
伝送ラインは、主操作盤から送信される制御信号を搬送することができれば、汎用の通信線、電力線、無線などを用いることができる。
【００１０】
主操作盤は、例えばマイコンおよびメモリなどを備えた回路を有し、照明器具へ制御信号を送信可能に構成されている。
【００１１】
そして、端末からネットワークを介して主操作盤に送信された端末の固有のアドレスに対応する照明器具を、主操作盤が制御する。
【００１２】
固有のアドレスと照明器具との対応関係とは、端末と、この端末の周囲を照明領域とする照明器具との対応関係であり、部屋のレイアウトなどに対応させて自由に設定できる。
【００１３】
請求項２記載の照明システムは、固有のアドレスを有し、調光可能であるとともに、前記固有のアドレスを無線媒体により自己の照明領域に発信する照明器具と；ネットワークに接続され、前記照明器具から発信された前記固有のアドレスを受信可能であるとともに、受信した前記固有のアドレスをネットワークに送信可能な端末と；前記ネットワークに接続されるとともに、伝送ラインを介して前記照明器具と接続され、前記固有のアドレスと前記照明器具との対応関係が記憶されるとともに、前記端末から前記ネットワークを介して送信された前記固有のアドレスに対応する前記照明器具を制御する主操作盤と；を具備しているものである。
【００１４】
無線媒体は、例えば、照明器具から発光される可視光が好ましいが、可視光に限定されるものではなく、赤外線などの無線であってもよい。
【００１５】
そして、照明器具から無線媒体により発信されたこの照明器具の固有のアドレスが、この固有のアドレスを受信した端末からネットワークを介して主操作盤へと送信されると、その固有のアドレスに対応する照明器具を主操作盤が制御する。
【００１６】
請求項３記載の照明システムは、請求項２記載の照明システムにおいて、照明器具は、固有のアドレスを可視光により発信するものである。
【００１７】
請求項４記載の照明システムは、請求項１ないし３いずれか記載の照明システムにおいて、固有のアドレスを有し、人体を検知した際に主操作盤に固有のアドレスを送信する人感センサを具備し、主操作盤は、前記人感センサの固有のアドレスと照明器具との対応関係が記憶されるとともに、前記人感センサから送信された前記固有のアドレスに対応する照明器具を少なくとも点灯状態とするものである。
【００１８】
人感センサは、例えば焦電型のセンサなどが好ましいが、焦電型のセンサに限定されるものではない。
【発明の効果】
【００１９】
請求項１記載の照明システムによれば、端末からネットワークを介して主操作盤に送信された端末の固有のアドレスに対応する照明器具を、主操作盤が制御することにより、端末を使用している人がいる場合などには、その使用されている端末に対応する照明器具を確実に点灯させておくことができる。
【００２０】
請求項２記載の照明システムによれば、照明器具から無線媒体により発信されたこの照明器具の固有のアドレスが、この固有のアドレスを受信した端末からネットワークを介して主操作盤へと送信されると、その固有のアドレスに対応する照明器具を主操作盤が制御することにより、端末を使用している人がいる場合などには、その使用されている端末の位置に対応する照明器具を確実に点灯させておくことができる。
【００２１】
請求項３記載の照明システムによれば、請求項２記載の照明システムの効果に加えて、照明器具が、固有のアドレスの発信に可視光を用いることで、照明器具に別途無線媒体などを設けることなく、簡単な構成で確実に自己の照明領域に固有のアドレスを発信できる。
【００２２】
請求項４記載の照明システムによれば、請求項１ないし３いずれか記載の照明システムの効果に加えて、人感センサから主操作盤に送信されたこの人感センサの固有のアドレスに対応する照明器具を、主操作盤が少なくとも点灯状態とすることにより、人が動いている場合などには、その人の位置に対応する照明器具を確実に点灯させておくことができる。
【発明を実施するための最良の形態】
【００２３】
以下、本発明の一実施の形態を図面を参照して説明する。
【００２４】
図１に第１の実施の形態を示し、図１は照明システムの説明図である。
【００２５】
図１に示すように、照明システム11は、例えば所定の広さを有する各種施設などに用いられるもので、ネットワークＮに対して、端末である複数のコンピュータ12(１つのみ図示)が接続されているとともに、複数の照明器具13と人感センサ14とが伝送線Ｌにより接続された主操作盤である照明主操作盤15が接続されている。
【００２６】
ネットワークＮは、例えば有線ＬＡＮ、あるいは無線ＬＡＮなどであり、このネットワークＮには、各コンピュータ12および照明主操作盤15が、例えばＵＳＢ、あるいはＰＬＣなどにより有線接続されたり、赤外線などにより無線接続されたりしている。
【００２７】
各コンピュータ12は、例えばパーソナルコンピュータ(ＰＣ)などであり、ネットワークＮを介して照明主操作盤15と通信するためのソフトが予めインストールされている。また、各コンピュータ12には、このソフトを介して固有のアドレスとなるＩＤ番号が予め入力設定されて割り付けられている。なお、端末としては、コンピュータ12に限らず任意の端末を用いることが可能であるが、通信ソフトをインストールできるものであることが好ましい。
【００２８】
各照明器具13は、例えば蛍光ランプ、あるいはＬＥＤなどであり、天井に取り付けられ、照明主操作盤15により調光制御されるように構成されている。また、これら照明器具13は、図示しない壁スイッチなどの外部操作手段によっても点灯／消灯などの調光が可能となっている。さらに、各照明器具13には、固有のアドレスとなるＩＤ番号が予め割り付けられている。
【００２９】
各人感センサ14は、焦電センサであり、天井に取り付けられ、この人感センサ14を頂点とする所定の円錐形の内部を検知範囲としている。また、各人感センサ14には、固有のアドレスであるＩＤ番号が割り付けられている。
【００３０】
そして、照明主操作盤15は、照明器具13の点滅を制御するもので、図示しないマイコンおよびメモリなどを備えた回路を内部に有しており、コンピュータ12、照明器具13および人感センサ14のそれぞれのＩＤ番号によるアドレスマップが設定されて固有のアドレスと照明器具13との対応関係が記憶されているとともに、各照明器具13に対して伝送ラインとしての伝送線Ｌを介して制御信号を送信可能に構成されている。
【００３１】
なお、ＩＤ番号と照明器具13との対応関係とは、コンピュータ12と、このコンピュータ12の周囲を照明領域とする照明器具13との対応関係であり、部屋のレイアウトなどに対応させて自由に設定可能である。
【００３２】
次に、上記第１の実施の形態の動作を説明する。
【００３３】
室内などにおいて、人が動いている場合には、人感センサ14がこの動きを検知し、伝送線Ｌを介して照明主操作盤15にＩＤ番号を送信する。
【００３４】
照明主操作盤15では、このＩＤ番号に基づき、アドレスマップを参照して人体を検知した人感センサ14を把握し、この人感センサ14に対応するＩＤ番号を有する照明器具13に伝送線Ｌを介して信号を出力して、この照明器具13を調光制御する。なお、このとき、照明主操作盤15は、照明器具13を非消灯状態、すなわち少なくとも点灯した状態とすればよいので、例えば照明器具13に信号を出力しないで点灯状態のまま維持しておくように制御してもよい。また、人感センサ14に対応するＩＤ番号を有する照明器具13とは、人感センサ14の検知に応じて照明するものであり、単数でも複数でもよく、必ずしもその人感センサ14の近傍の照明器具13をいうものではない。
【００３５】
さらに、例えば人がコンピュータ12を操作している場合には、このコンピュータ12に予めインストールされた通信ソフトによって、所定時間、例えば１分おきなどに、コンピュータ12からネットワークＮを介して照明主操作盤15へと、このコンピュータ12に割り付けられた固有のＩＤ番号を自動的に送信する。なお、コンピュータ12は、例えば動作していても外部からの操作入力などがない場合、所定時間毎にＩＤ番号を送信するように制御したり、その状態が所定時間継続した場合にはＩＤ番号を送信しないように制御したりしてもよい。
【００３６】
コンピュータ12から送信されたＩＤ番号を照明主操作盤15が受信すると、この照明主操作盤15は、アドレスマップを参照してそのＩＤ番号に対応するコンピュータ12を把握し、例えばこのコンピュータ12に対応するＩＤ番号を有する照明器具13に伝送線Ｌを介して信号を出力して、この照明器具13を調光制御する。なお、このとき、照明主操作盤15は、照明器具13を非消灯状態、すなわち少なくとも点灯した状態とすればよいので、例えば照明器具13に消灯信号あるいは制御信号を出力しないで点灯状態のまま維持しておくように制御してもよい。また、コンピュータ12に対応するＩＤ番号を有する照明器具13とは、コンピュータ12近傍を照明するものであり、単数でも複数でもよく、必ずしもそのコンピュータ12の近傍の照明器具13をいうものではない。
【００３７】
そして、コンピュータ12が動作を停止している状態、あるいはその室内に人がいない状態など、照明主操作盤15にコンピュータ12あるいは人感センサ14からＩＤ番号が送信されない状態が予め設定された所定時間継続した場合には、このＩＤ番号が送信されない人感センサ14あるいはコンピュータ12の近傍に位置する照明器具13に伝送線Ｌを介して信号を出力して、この照明器具13を消灯状態、あるいは弱い点灯状態に調光する。
【００３８】
以上のように、コンピュータ12からネットワークＮを介して照明主操作盤15に送信されたコンピュータ12のＩＤ番号に対応する照明器具13を、照明主操作盤15が制御することにより、コンピュータ12を使用している人がいる場合などには、その使用されているコンピュータ12の近傍を照明する照明器具13を確実に点灯させておくことができる。
【００３９】
すなわち、人感センサ14は、人体に比較的大きい動きがない場合には、人体を検知できないので、コンピュータ12の位置でこのコンピュータ12を人が操作している場合などには、人感センサ14により人体を検知することができない。このため、使用されているコンピュータ12からＩＤ番号を照明主操作盤15へと送信することにより、人が動いていない場合でもその近傍を照明する照明器具13を消灯させてしまったりすることを確実に防止できる。
【００４０】
また、人感センサ14から照明主操作盤15に送信されたこの人感センサ14のＩＤ番号に対応する位置近傍の照明器具13を、照明主操作盤15が少なくとも点灯状態に制御することにより、人が動いている場合などには、その人の位置近傍を照明する照明器具13を確実に点灯させておくことが可能になる。
【００４１】
この結果、人が動いている場合でも、人が大きく動かずにコンピュータ12を操作している場合でも、人がいる位置を照明主操作盤15が確実に把握でき、その人に対応する照明器具13を誤って消灯させるなどの不便を解消できる。
【００４２】
さらに、コンピュータ12には、通信ソフトをインストールするだけでＩＤ番号を入力して設定可能となるため、ＩＤ番号を設定するための複雑な構成なども必要なく、照明システム11全体の構成を簡略化できる。
【００４３】
次に、図２に第２の実施の形態を示し、図２は照明システムの説明図である。なお、上記第１の実施の形態と同様の構成および作用については、同一符号を付してその説明を省略する。
【００４４】
この第２の実施の形態は、上記第１の実施の形態において、各照明器具13が、無線媒体、例えばその照明器具13自体が発光する可視光Ａを介して、その照明器具13のＩＤ番号を自己の照明領域に発信するとともに、コンピュータ12が、その照明器具13から発信されたＩＤ番号を受信可能となっているものである。
【００４５】
照明器具13は、例えば点灯時にコンピュータ12へとＩＤ番号を発信し、コンピュータ12は、この受信したＩＤ番号を記録する。
【００４６】
そして、人がコンピュータ12を操作している場合には、このコンピュータ12に予めインストールされた通信ソフトによって、所定時間、例えば１分おきなどに、コンピュータ12からネットワークＮを介して照明主操作盤15へと、このコンピュータ12に記憶された照明器具13のＩＤ番号を自動的に送信する。
【００４７】
コンピュータ12から送信されたＩＤ番号を照明主操作盤15が受信すると、この照明主操作盤15は、アドレスマップを参照してＩＤ番号に対応する照明器具13を特定し、この照明器具13に伝送線Ｌを介して信号を出力して、この照明器具13を調光制御する。なお、このとき、照明主操作盤15は、照明器具13を非消灯状態、すなわち少なくとも点灯した状態とすればよいので、例えば照明器具13に信号を出力しないで点灯状態のまま維持しておくように制御してもよい。
【００４８】
この結果、上記第１の実施の形態と同様の作用効果を奏することができる。
【００４９】
また、照明器具13にＩＤ番号を割り付けておけば、コンピュータ12に固有のアドレスを入力して割り付けなくてもよいので、照明システム11の使い勝手が向上する。
【００５０】
なお、上記各実施の形態において、照明システム11は、人感センサ14を設けない構成としてもよい。
【００５１】
また、照明主操作盤15は、アドレスマップによりコンピュータ12、照明器具13あるいは人感センサ14の位置を把握するものとしたが、このようなアドレスマップを有さずに、例えばＩＤ番号を演算することでコンピュータ12、照明器具13あるいは人感センサ14の位置を認識できるようにしてもよい。
【００５２】
さらに、伝送線Ｌは、照明主操作盤15から送信される制御信号を搬送することができれば、汎用の通信線、電力線、無線などを用いることができる。
【００５３】
そして、ネットワークＮは、任意のものとすることができる。
【図面の簡単な説明】
【００５４】
【図１】本発明の第１の実施の形態を示す照明システムの説明図である。
【図２】本発明の第２の実施の形態を示す照明システムの説明図である。
【符号の説明】
【００５５】
11    照明システム
12    端末であるコンピュータ
13    照明器具
14    人感センサ
15    主操作盤である照明主操作盤
Ｌ    伝送ラインである伝送線
Ｎ    ネットワーク
【図１】
2009021170.tif 000003
【図２】
2009021170.tif 000004